(57)【要約】【課題】書込ユニットの保守性を改善する書込ユニット、画像形成装置および画像形成装置の設定方法を提供すること。【解決手段】画像形成装置は、Ｃ，Ｍ，Ｙ，Ｋ色の画像をそれぞれ形成するための光ビームを発生させる書込ユニット２０４と、書込ユニット２０４における光ビームの駆動制御を行うための書込コントローラ２２０とを備え、書込ユニット２０４は、書込ユニット２０４が発生するＣ，Ｍ，Ｙ，Ｋ色の静電潜像を形成する際の色ずれを補正するための初期設定データを格納する記憶装置２１０を備えており、書込ユニット２０４の交換時に記憶装置２１０が格納する初期設定データを第２記憶装置に渡して、画像形成装置がそれまでに生成した前記第２記憶装置に格納された色ずれを補正するための補正データを使用不可能にさせている。【選択図】図２
2014119678.tif 000002
【特許請求の範囲】
【請求項１】
光ビームを偏向して像状露光を行うための書込ユニットであって、
Ｃ，Ｍ，Ｙ，Ｋ色の画像をそれぞれ形成するための光ビームを偏向させるためのポリゴンミラーと、
前記光ビームを点灯制御するための制御手段と、
書込ユニットが発生するＣ，Ｍ，Ｙ，Ｋ色の静電潜像を形成する際に発生する色ずれを補正するための設定データを格納する記憶手段と、
を備え、
前記書込ユニットの交換に際して前記設定データを、色ずれ補正を行うための補正データを格納する第２記憶手段に読出させることによって使用不可能にさせる、書込ユニット。
【請求項２】
前記設定データは、副走査方向の色ずれまたは主走査方向の色ずれを補正するためのデータである、請求項１に記載の書込ユニット。
【請求項３】
光ビームを偏向して像状露光を行うための書込ユニットを備える画像形成装置であって、
Ｃ，Ｍ，Ｙ，Ｋ色の画像をそれぞれ形成するための光ビームを発生させる書込ユニットと、
書込ユニットにおける光ビームの駆動制御を行うための書込コントローラとを備え、
前記書込ユニットは、
Ｃ，Ｍ，Ｙ，Ｋ色の画像をそれぞれ形成するための光ビームを偏向させるためのポリゴンミラーと、
前記光ビームを点灯制御するための制御手段と、
書込ユニットが発生するＣ，Ｍ，Ｙ，Ｋ色の静電潜像を形成する際に発生する色ずれを補正するための設定データを格納する記憶手段と、
を備え、
前記書込コントローラは、
前記光ビームの駆動制御を行うと共に前記光ビームの駆動制御を行うことによって色ずれを防止するための補正データを生成する制御装置と、
前記書込ユニットが交換されたことを識別して前記書込ユニットの設定データを読込む第２記憶手段と
を備え、
前記書込ユニットの交換時に前記記憶手段が格納する設定データを前記第２記憶手段に渡し、かつ画像形成装置がそれまでに生成した前記第２記憶手段に格納された色ずれを補正するための補正データを使用不可能にする、画像形成装置。
【請求項４】
前記設定データは、副走査方向の色ずれまたは主走査方向の色ずれを補正するためのデータである、請求項３に記載の画像形成装置。
【請求項５】
前記使用不可能にした補正データをログ・データとして保管する、請求項３または４に記載の画像形成装置。
【請求項６】
Ｃ，Ｍ，Ｙ，Ｋ色の画像をそれぞれ形成するための光ビームを発生させる書込ユニットと、前記書込ユニットにおける光ビームの駆動制御を行うための書込コントローラとを備える画像形成装置の設定方法であって、
前記書込ユニットが交換された場合に、記憶手段から設定データを読出して画像形成装置において交換されずに残された第２記憶手段に格納するステップと、
画像形成装置がそれまでに生成した前記第２記憶手段に格納された色ずれを補正するための補正データを使用不可能にするステップと、
前記設定データを使用して画像形成装置の色ずれ補正処理を実行し、色ずれを補正するための補正データを前記第２記憶手段に格納するステップと、
前記書込ユニットの交換を検出しない場合に、前記記憶手段の設定データを使用せずに色ずれ補正処理を実行して補正データを更新する、画像形成装置の設定方法。
【発明の詳細な説明】
【技術分野】
【０００１】
本発明は、露光を行う画像形成装置に関し、より詳細には、本発明は、書込ユニットの保守性を改善する書込ユニット、画像形成装置および画像形成装置の設定方法に関する。
【背景技術】
【０００２】
複数色の画像を形成する画像形成装置は、各色の画像を重ね合わせて複数色の画像を形成する。各色の画像位置がずれると、線画の線がずれたり、文字の色が変わったり、画像ムラ（色むら）が発生し、画像品質の低下につながる。このため、各色の画像位置をできる限り合わせる必要がある。
【０００３】
このことから、複数の感光体を用いてカラー画像を形成する画像形成装置において、環境温度の変化や機内温度の変化等の様々な要因により発生する主走査方向や副操作方向などの位置ずれ、スキューレーザやＬＥＤと言ったビーム光源のオーバーラップ度合いなどの補正が行われる。
【０００４】
一方、電子写真複写機といった画像形成装置は、書込ユニットを備えており、書込ユニット内に配置され、高速で回転するポリゴンミラーによって線状光源が感光体ドラムを走査することで、静電潜像を形成させる。ビーム光源は、レーザやＬＥＤなどを使用して構成され、いずれも耐久寿命がある。また、ポリゴンミラーは、高速で回転するので、不具合を生じさせる場合がある。その他、書込ユニット内の各種センサや光学システムの劣化などが経年的に発生する。
【０００５】
書込ユニットの故障や耐久保証期間を経過した場合、サービスマンが画像形成装置の書込ユニットを交換することで、画像形成性能を回復させる。この作業は、画像形成装置の保守・メンテナンス業務の一環として行われ、人的・時間的な負担を必要とする。書込ユニットの交換後、書込ユニットの画像形成装置内でのマウント状態や光学系の微妙なアライメントの違いから、書込ユニットの交換後、適切な画像形成するために、位置ずれ補正、スキュー補正、ビーム光源の重なり合いなどの位置合わせなどの補正を行って、ようやく書込ユニット交換という保守・メンテナンス作業が完了する。
【０００６】
書込ユニットの色ずれなどの補正を例に取ると、補正のため、転写ベルト上に画像位置ずれ補正用のパターンを形成し、それをセンサで検知し、センサからの信号に基づいてずれ量を演算し、それを補正部にフィードバックして画像位置ずれを補正することが必要となる。多くの場合、補正項目が複数あるため、補正処理においては、パラメータを設定しながら、複数回補正動作を行わせ、最終的に色ずれが許容範囲となるまで各種のパラメータを反復設定する。
【０００７】
図７には、色ずれ補正の処理７００を概略的に示す。色ずれ補正は、感光体ドラム７０６などをそれぞれ光ビーム７０５で照射して感光体ドラム７０６上に静電潜像を形成する。形成した静電潜像を現像器（不図示）で顕像化し、転写ベルト７０１上にトナー像を転写して、転写ベルト７０１上に画像位置ずれ補正用のパターン（斜線）７０２を形成する。パターン７０２は、転写ベルト７０１の回転方向（矢線Ｂ）に沿った移動に対応してセンサ７０３で検出される。検出されたパターン７０２は、基準として使用する基準パターンから、検査対象とするパターンがセンサ７０３によって検出されるまでの時間などを使用して、例えば副走査方向への色ずれを検出する。検出された位置情報または時間情報は、画像形成装置において色ずれ補正のために使用され、補正データが作成される。作成された補正データは、以後、画像形成プロセスの制御にフィードバックされる。
【０００８】
これらの処理は、カラー複写機の場合、４色分行う必要があり、また転写ベルトの移動、露光・現像などのプロセスを必要とするため、一度の補正処理が数分程度を要する場合がある。さらに、従来では、設置場所においてサービスマンが限られた初期設定データのみを手入力して初期設定を行うので、最適な色再現性や画像性を得るまでに繰り返し補正を行わなければならないと言った問題点もあった。また、本体側の補正の程度によっては、設定した初期設定データでは最適点（画像性の極大ポイント）を見出すことができず、色ずれ補正ができない、と言う不都合も生じる場合があった。
【０００９】
色ずれを補正するための技術としては、例えば、特開２００８−１２９４８６号公報（特許文献１）に記載の技術が知られており、転写ベルト上に主走査方向に延びる直線からなる基準部と、転写ベルトの搬送方向に対して斜めに延びる斜線を形成し、その斜線および基準部の通過をセンサで検知し、センサからの信号に基づいて測定された基準部と斜線との間隔の測定値と、メモリに記憶されている基準値とに基づいて、斜線の主走査方向のずれ量をＣＰＵで演算し、その演算結果に基づいて主走査方向の書出しタイミング及び書込みクロックの少なくとも一方を補正している。これにより、環境変化だけでなく、経時変化による位置ずれを補正することができ、色ずれのない高品位の画像を得ることができる。
【００１０】
しかしながら、特許文献１に記載された方式では、書込ユニットが交換などのメンテナンス処理などで交換された後の補正についてはサービスマンなどによる手動設定で対応できる。しかしながら特許文献１に記載された書込ユニットが交換された後、煩雑な設定を行うことなく、正確に補正処理を実行させることを可能とするものではない。
【発明の概要】
【発明が解決しようとする課題】
【００１１】
本発明は、上記従来技術の問題点に鑑みてなされたものであり、本発明は、画像形成装置の書込ユニットの交換後の補正処理を効率化することを可能とする、書込ユニット、画像形成装置および画像形成装置の設定方法を提供することを目的とする。
【課題を解決するための手段】
【００１２】
本発明は、上記課題を解決するために、書込ユニット内に不揮発性の記憶装置を設ける。記憶手段には、製造時の書込ユニットの特性値を反映させた、補正のための初期設定データが記録されている。画像形成装置は、書込ユニットが交換されたことに対応して、当該記憶手段に記憶された初期設定データを、画像形成装置の書込コントローラが管理する第２記憶装置に読み込む。画像形成装置は、画像形成装置が書込ユニットの交換以前に行った補正データを使用不能に設定する。そして、画像形成装置は、記憶手段から読み込んだ初期設定データを使用して、新たな補正データを生成する。生成した補正データは、画像形成装置の以後の画像形成のために使用される。
【発明の効果】
【００１３】
本発明によれば、画像形成装置の書込ユニットの交換後の補正処理を効率化することを可能とする、書込ユニット、画像形成装置および画像形成装置の設定方法を提供することができる。
【図面の簡単な説明】
【００１４】
【図１】本発明の画像形成装置の実施形態を示す図。
【図２】本実施形態の画像形成装置１００の機能ブロック２００を示す図。
【図３】画像形成装置１００の書込ユニット１０２を矢線Ａの方向から見た場合の概略的な平面構成３００を示す図。
【図４】本実施形態の画像形成装置１００が実行する書込ユニット１０２の交換直後の設定方法の処理のフローチャート。
【図５】本実施形態において色ずれを生じさせる要因をマゼンタおよびブラックを使用して例示的に示す図。
【図６】図４のステップＳ４０５で行う色ずれ補正の詳細なプロセスを示す図。
【図７】色ずれ補正の処理７００を概略的に示す図。
【発明を実施するための形態】
【００１５】
以下、本発明を、実施形態をもって説明するが、本発明は、後述する実施形態に限定されるものではない。図１は、画像形成装置の実施形態を示す。画像形成装置１００は、書込ユニット１０２と、像形成部１１２と、転写部１２２とを含んで構成される。書込ユニット１０２は、半導体レーザ、ＬＥＤ、ポリゴンミラーなどの光学要素を含んでいて、像形成のための像状露光を可能としている。像形成部１１２は、感光体ドラム、帯電装置、現像装置などを含んでいて、感光体ドラム上に静電潜像を形成し、顕像化する、感光体ドラム上のトナー像は、転写プロセスにより転写ベルト１１４に転写される。
【００１６】
また、書込ユニット１０２は、半導体レーザ（図示せず）などの光源から放出された光ビームを、ポリゴンミラー１０２ｃにより偏向させ、ｆθレンズに入射させている。光ビームは、図示した実施形態ではシアン（Ｃ）、マゼンタ（Ｍ）、イエロー（Ｙ）、ブラック（Ｋ）の各色に対応した数発生されていて、ｆθレンズ１０２ｂを通過した後、反射ミラー１０２ａで反射される。
【００１７】
ＷＴＬレンズ１０２ｄは、光ビームを整形した後、反射ミラー１０２ｅへと光ビームを偏向させ、露光のために使用される光ビームＬとして感光体ドラム１０４ａ、１０６ａ、１０８ａ、１１０ａへと、光ビームを像状照射する。感光体ドラム１０４ａ、１０６ａ、１０８ａ、１１０ａへの光ビームＬの照射は、上述したように複数の光学要素を使用して行われるため、主走査方向および副走査方向に関して、タイミング同期が行われている。
【００１８】
なお、以下、主走査方向を、光ビームの走査方向として定義し、副走査方向を、主走査方向に対して直交する方向、多くの画像形成装置１００では、感光体ドラム１０４ａ、１０６ａ、１０８ａ、１１０ａの回転する方向として定義する。
【００１９】
感光体ドラム１０４は、アルミニウムなどの導電性ドラム上に、少なくとも電荷発生層と、電荷輸送層とを含む光導電層を備えている。光導電層は、それぞれ感光体ドラム１０４ａ、１０６ａ、１０８ａ、１１０ａに対応して配設され、コロトロン、スコロトロン、または帯電ローラなどを含んで構成される帯電器１０４ｂ、１０６ｂ、１０８ｂ、１１０ｂにより表面電荷が付与される。
【００２０】
各帯電器１０４ｂ、１０６ｂ、１０８ｂ、１１０ｂにより感光体ドラム１０４ａ、１０６ａ、１０８ａ、１１０ａ上に付与された静電荷は、光ビームＬにより像状露光され、静電潜像が形成される。感光体ドラム１０４ａ、１０６ａ、１０８ａ、１１０ａ上に形成された静電潜像は、現像スリーブ、現像剤供給ローラ、規制ブレードなどを含む現像器１０４ｃ、１０６ｃ、１０８ｃ、１１０ｃにより現像され、現像剤像が形成される。
【００２１】
感光体ドラム１０４ａ、１０６ａ、１０８ａ、１１０ａ上に担持された現像剤は、搬送ローラ１１４ａ、１１４ｂ、１１４ｃにより矢線Ｂの方向に移動する転写ベルト１１４上に転写される。転写ベルト１１４は、Ｃ、Ｍ、Ｙ、Ｋの現像剤を担持した状態で２次転写部へと搬送される。２次転写部は、２次転写ベルト１１８と、搬送ローラ１１８ａ、１１８ｂと含んで構成される。２次転写ベルト１１８は、搬送ローラ１１８ａ、１１８ｂにより矢線Ｃの方向に搬送される。２次転写部には、給紙カセットなどの受像材収容部１２８から上質紙、プラスチックシートなどの受像材１２４が搬送ローラ１２６により供給される。
【００２２】
２次転写部は、２次転写バイアスを印加して、転写ベルト１１４上に担持された多色現像剤像を、２次転写ベルト１１８上に吸着保持された受像材１２４に転写する。受像材１２４は、２次転写ベルト１１８の搬送と共に定着装置１２０へと供給される。定着装置１２０は、シリコーンゴム、フッソゴムなどを含む定着ローラなどの定着部材１３０を含んで構成されていて、受像材１２４と多色現像剤像とを加圧加熱し、印刷物１３２として画像形成装置１００の外部へと出力する。多色現像剤像を転写した後の転写ベルト１１４は、クリーニングブレードを含むクリーニング部１１６により転写残現像剤が除去された後、次の像形成プロセスへと供給されている。
【００２３】
なお、各感光体ドラム１０４ａ、１０６ａ、１０８ａ、１１０ａの主走査方向の終点付近には、副走査ずれ検出のための同期検知板（図示せず）が配設されていて、副走査方向のずれを検出している。
【００２４】
図２は、本実施形態の画像形成装置１００の機能ブロック２００を示す。画像形成装置１００の機能は、画像形成装置１００の全体の制御を管理するメインコントローラ２０２によって制御されている。メインコントローラ２０２は、書込ユニット２０４、書込コントローラ２２０、スキャナ２２６、その他搬送機械系コントローラ（不図示）などの制御を行っている。書込ユニット２０４はその機能手段として、ＮＶＲＡＭ、ＥＥＰＲＯＭ（登録商標）、フラッシュメモリなどの記憶装置２１０を含んでいる。また、書込ユニット２０４は、Ｃ〜Ｋまでの各色用の光ビームを生成させるためのドライバ基板２１２，２１４，２１６，２１８を含んで構成されている。
【００２５】
記憶装置２１０は、工場出荷時に書込ユニット２０４の特性データと、画像形成装置１００に装着された場合に使用するための初期設定データがファームウェアとして記憶されている。またドライバ基板２１２〜２１８は、特定の実施形態では、半導体レーザなどを像状に点灯制御させるためのドライバなどを含んで構成されており、光ビーム２３０を生成し、感光体ドラム１０４ａ〜１１０ａを像状露光する。
【００２６】
書込コントローラ２２０は、書込ユニット２０４に対して適切なインタフェース２０６を介して接続されていて、書込ユニット２０４との間で相互通信を行っている。書込コントローラ２２０は、書込制御を行うためのASICなどとして構成され制御装置として機能するＣＰＵ２２４と、ＣＰＵ２２４がその処理のための使用するデータなどを格納するための、第２記憶装置としての不揮発性メモリ２２２とを含んでいる。
【００２７】
書込コントローラ２２０は、書込ユニット２０４の交換を検出してＣＰＵ２２４が取得する初期設定データや補正プロセスによって生成された補正データを格納する。これらの各データは、書込コントローラ２２０による書込ユニット２０４の制御のために利用される。また、同期検知装置２２８は、感光体ドラム１０４ａ〜１１０ａに隣接した位置に配置されていて、光ビーム２３０の照射に応答して、主走査方向及び副走査方向の同期制御を可能としている。さらに、画像形成装置１００には、原稿台（不図示）の原稿を光学的に読み取るためのスキャナも搭載されているが、本実施形態には直接関連しないので詳細な説明は省略する。
【００２８】
図３は、画像形成装置１００の書込ユニット１０２を矢線Ａの方向から見た場合の概略的な平面構成３００を示す。なお、図３には、例示のため光ビームを点灯制御するための制御手段として機能する、ドライバ基板２１２について記載し、その他のドライバ基板２１４〜２１８については省略する。図３では、静電潜像が形成される感光体ドラム１０４ａに対する走査上の配置を説明するため、感光体ドラム１０４ａについても併せて示す。
【００２９】
書込ユニット１０２は、半導体レーザ３０８の駆動を制御するためのドライバ基板２１２を含んで構成されている。ドライバ基板２１２には、特定用途集積回路（ASIC：Application Specific Integrated Circuit)として構成された光量モニタ３０２、駆動電流制御部３０４およびドライバ３０６などが実装されている。ドライバ基板２１２は、画像形成装置１００の画像形成を制御する書込コントローラ２２０（図示せず）からの制御信号を受領して、半導体レーザ３０８の駆動制御を指令する。
【００３０】
半導体レーザ３０８から出力された光ビームは、集光レンズ３１０により集光された後、光分離手段として機能し、誘電体多層膜コーティングなどにより形成されたハーフミラー３１２を通過する。ハーフミラー３１２は、光ビームを、モニタビームと走査ビームとに分離される。走査ビームは、ポリゴンミラー１０２ｃにより偏向されてｆθレンズ１０２ｂを通過して感光体ドラム１０４ａへと照射される。なお、感光体ドラム１０４ａの走査開始位置には、フォトダイオード（ＰＤ）を含む同期検知装置２２８（不図示）が配置されている。同期検知装置２２８は、光ビームを検出し、第１光量補正を含む各種制御についてのタイミングを与える同期信号を発行する。
【００３１】
ハーフミラー３１２で分離された他方の光ビームは、モニタビームとして利用される。モニタビームは、全反射ミラー３１４により第２集光レンズ３１６へと反射され、第２集光レンズ３１６を経てフォトダイオードなどの光量モニタ３１８に照射される。光量モニタ３１８は、光ビームの光量に対応したモニタ電圧Ｖｐｄを発生させる。発生したモニタ電圧Ｖｐｄは、駆動電流制御部３０４に入力される。駆動電流制御部３０４は、ドライバ３０６を制御して光量モニタ３０２が検出した光ビーム強度を半導体レーザ３０８の出力制御にフィードバックしている。
【００３２】
図４は、本実施形態の画像形成装置１００が実行する書込ユニット１０２の交換直後の設定方法の処理のフローチャートを示す。図４の処理は、ステップＳ４００から開始し、ステップＳ４０１で書込ユニット１０２が交換されたか否かを判断する。当該判断は、書込ユニット１０２が交換されたことをサービスマンがキー入力または特定のコードを入力することに依って画像形成装置１００が判断することができる。また、画像形成装置１００の電源投入時に書込コントローラ２２０が書込ユニット１０２の記憶装置２１０にアクセスし、記憶された書込ユニット１０２のシリアル番号を取得して判断することができる。この際、書込コントローラ２２０は、現時点で管理しているシリアル番号が読み込んだシリアル番号と異なっていることによって書込ユニット１０２の交換を判断することができる。
【００３３】
書込ユニット１０２が交換されていないと判断した場合（ｎｏ）、本実施形態の処理を実行することなく、処理をステップＳ４０７に分岐させ終了させる。一方、ステップＳ４０１で書込ユニット１０２が交換されたと判断した場合（ｙｅｓ）、ステップＳ４０２で、書込ユニットのＮＶＲＡＭと言った記憶装置２１０から初期設定データを読み出す。ステップＳ４０３では、読み出した初期設定データ４０３を書込コントローラの不揮発性メモリ２２２に格納する。
【００３４】
ステップＳ４０４では、書込ユニット交換前の色ずれ補正のための補正データを消去することで、補正データを使用不可能とする。使用不可能とする他の実施形態としては、例えば、補正データを消去することなく、不揮発性メモリ２２２について、新たな初期設定データが入るエリアと、補正データが入るエリアとを設け、不揮発性メモリに補正データ履歴を残す構成とすることができる。さらに他の実施形態では、補正データを不揮発性メモリから消去すると同時に、画像形成装置１００が管理するＨＤＤなどの記憶手段にログ・データとして待避させても良い。
【００３５】
その後、ステップＳ４０５では、新たな初期設定データを使用して色ずれ補正を実行する。なお、色ずれ補正としては、副走査方向のＣＭＫＹの画像形成タイミングのずれ補正の他、主走査方向の位置ずれ、倍率のずれ、およびスキュー補正などを挙げることができる。これらの補正のために使用するべき、各種基準位置データ、パターン作成位置データ、搬送速度データおよび形成パターンデータなどを挙げることができるが、これらのデータに限定されるものではない。また、各種データは、補正処理の時間的長さに影響を与えることがない範囲で、補正の際のフィッティングや補間の精度を向上させる目的で、できるだけ細かく設定することができる。以上の処理を行うことにより、書込ユニットの交換直後の煩雑な手動設定を排除することができるので、補正動作を効率化させることができる。さらに、補正動作を開始する際に書込ユニット１０２の直前の補正条件をキャンセルでき、交換された書込ユニット１０２の特性に適合した状態から補正できるので、より補正動作を効率化することができる。
【００３６】
ここで本実施形態において補正の対象となるずれの態様を説明する。図５は、本実施形態において色ずれを生じさせる要因をマゼンタおよびブラックを使用して例示的に示す図である。副走査方向の色ずれ（ａ）としてはレジストずれ、傾きずれ、曲がりずれを挙げることができる。また主走査方向のずれ（ｂ）としては、レジストずれ、倍率ずれ、倍率誤差偏差などを挙げることができる。
【００３７】
その後、ステップＳ４０６で、決定した色ずれ補正データを書込コントローラの不揮発性メモリに補正データとして格納する。この補正データは、画像形成装置１００が補正を行うためのタイミングの到来時に従来の補正プロセスを使用して更新され、画像形成装置１００が色ずれのない良好な画像を提供できるようにさせている。一連の処理が終了すると、図４の処理は、ステップＳ４０７で終了する。
【００３８】
図６は、図４のステップＳ４０５で行う色ずれ補正の詳細なプロセスを示す。なお、図６のプロセスは、図４で説明した初期設定データを使用した補正処理にも適用される。また、図６のプロセスは、書込ユニット１０２が交換されない場合にでも、定期的または必要により行われるプロセスである。プロセスはステップＳ６００から開始し、ステップＳ６０１で転写ベルト上に検知用パターンを形成する。ステップＳ６０２では、転写ベルト上の検知用パターンをセンサで読取り、アナログ信号をＡ／Ｄ変換して検知結果をＲＡＭなどの記憶手段に格納する。
【００３９】
ステップＳ６０３では、転写ベルト上の基準パターンから、各色の検知用パターンが検出された時の情報を使用してずれ量を取得する。この際に使用する情報としては、転写ベルトの移動時間でも良いし、センサによる検出位置、またはこれら両方などを使用することができる。
【００４０】
ステップＳ６０４では、取得したずれ量から補正データを生成する。補正データは、光ビーム点灯のタイミング制御、左右の振れ幅制御を補正する。補正データは、例えばルックアップテーブルとして生成し、不揮発性メモリに格納することができる。ステップＳ６０５では、他の補正項目があるか否かを判断し、補正項目がなければ（ｎｏ）、ステップＳ６０６で処理を終了させる。一方、まだ補正項目が残っている場合（ｙｅｓ）、処理をステップＳ６０１に戻し、他の補正項目のためのパターンを形成し、補正処理を繰り返す。
【００４１】
本実施形態は、以上の処理によって高精度な初期設定データを使用して効率的な補正処理を行うことができ、書込ユニット１０２の交換における保守・メンテナンスの効率を改善することができる。この際に、画像形成装置１００がすでに蓄積した補正データを使用せず、高精度の初期設定データを用いて直接的に補正処理を行うことができる。このため、補正データがうまく得ることができずにメンテナンスが中断するといった問題も生じることがないので、さらに効率を改善することができる。
【００４２】
これまで本発明実施形態をもって説明してきたが、本発明は実施形態に限定されるものではなく、他の実施の形態、追加、変更、削除など、当業者が想到することができる範囲内で変更することができる。そしてこれらのいずれの態様においても本発明の作用・効果を奏する限り、本発明の範囲に含まれるものである。
【符号の説明】
【００４３】
１００  画像形成装置
１０２  書込ユニット
１０２ａ  反射ミラー
１０２ｂ  ｆθレンズ
１０２ｃ  ポリゴンミラー
１０２ｄ  ＷＴＬレンズ
１０２ｅ  反射ミラー
１０４  感光体ドラム
１０４ａ  感光体ドラム
１０４ｂ  帯電器
１０４ｃ  現像器
１１２  像形成部
１１４  転写ベルト
１１４ａ  搬送ローラ
１１６  クリーニング部
１１８  ２次転写ベルト
１１８ａ  搬送ローラ
１２０  定着装置
１２２  転写部
１２４  受像材
１２６  搬送ローラ
１２８  受像材収容部
１３０  定着部材
１３２  印刷物
２００  機能ブロック
２０２  メインコントローラ
２０４  書込ユニット
２０６  インタフェース
２１０  記憶装置
２１２  ドライバ基板
２１４  ドライバ基板
２２０  書込コントローラ
２２２  不揮発性メモリ
２２４  ＣＰＵ
２２６  スキャナ
２２８  同期検知装置
２３０  光ビーム
【先行技術文献】
【特許文献】
【００４４】
【特許文献１】特開２００８−１２９４８６号公報
【図１】
2014119678.tif 000003
【図２】
2014119678.tif 000004
【図３】
2014119678.tif 000005
【図４】
2014119678.tif 000006
【図５】
2014119678.tif 000007
【図６】
2014119678.tif 000008
【図７】
2014119678.tif 000009